(57)【要約】【課題】放送が受信不可能となった場合に行う放送局のサーチを、１巡目に実施する全チャンネルスキャンの結果を用いて２巡目以降の検索時間を短縮することにより、現在の受信状況に合わせて検索時間を短縮することが可能なデジタル放送受信装置を提供する。【解決手段】放送信号を受信する受信手段と、放送信号の受信可否を判断する判断手段と、受信可能となる可能性が低いチャンネルを記憶する記憶手段と、判断手段が受信不可と判断した場合に受信可能な放送局を探す検索手段とを備え、検索手段が受信可能な放送局を検索する場合に、１巡目の検索時には放送信号の全てのチャンネルを検索するとともに、記憶手段に受信可能となる可能性が低いチャンネルを記憶させ、２巡目以降の検索には記憶した受信可能となる可能性が低いチャンネルを検索しないことを特徴とする。【選択図】図１
2011114354.tif 000002
【特許請求の範囲】
【請求項１】
放送信号を受信する受信手段と、
前記放送信号の受信可否を判断する判断手段と、
受信可能となる可能性が低いチャンネルを記憶する記憶手段と、
前記判断手段が受信不可と判断した場合に受信可能な放送局を探す検索手段とを備え、
前記検索手段が前記受信可能な放送局を検索する場合に、１巡目の検索時には放送信号の全てのチャンネルを検索するとともに、前記記憶手段に受信可能となる可能性が低いチャンネルを記憶させ、２巡目以降の検索には前記記憶した受信可能となる可能性が低いチャンネルを検索しないことを特徴とするデジタル放送受信装置。
【請求項２】
前記受信可能となる可能性が低いチャンネルとは、前記放送信号のチャンネルを選局した場合に、ＯＦＤＭ同期が取れない状態のチャンネルであることを特徴とする請求項１記載のデジタル放送受信装置。
【請求項３】
前記受信可能となる可能性が低いチャンネルとは、前記放送信号のチャンネルを選局した場合に、ＴＭＣＣ信号が受信できないチャンネルであることを特徴とする請求項１記載のデジタル放送受信装置。
【請求項４】
前記受信可能となる可能性が低いチャンネルとは、前記放送信号のチャンネルを選局した場合に、受信感度、あるいは受信電力、あるいは受信Ｃ／Ｎ値が低いチャンネルであることを特徴とする請求項１記載のデジタル放送受信装置。
【請求項５】
前記受信可能となる可能性が低いチャンネルとは、前記放送信号のチャンネルを選局した場合に、選局情報が取れないチャンネルであることを特徴とする請求項１記載のデジタル放送受信装置。
【請求項６】
デジタル放送受信装置の位置情報を取得する位置情報検出手段と、
取得した前記位置情報を用いて受信可能な放送局を抽出する抽出手段と、を更に具備し、
前記検索手段は、１巡目の検索時には前記抽出手段で抽出した放送局を検索することを特徴とする請求項１から請求項５のいずれかに記載のデジタル放送受信装置。
【請求項７】
放送信号を受信する第２の受信手段と、を更に備え、
前記検索手段は、前記受信手段が受信可能な状態で前記第２の受信手段に１巡目の検索を実行させることを特徴とする請求項１から請求項５のいずれかに記載のデジタル放送受信装置。
【請求項８】
前記検索手段は、２巡目以降の検索においても、前記記憶手段に受信可能となる可能性が低いチャンネルを記憶させることを特徴とする請求項１から請求項７のいずれかに記載のデジタル放送受信装置。
【発明の詳細な説明】
【技術分野】
【０００１】
本発明は、デジタル放送受信装置に関し、更に詳しくは、移動体環境において放送局の検索（サーチ)機能を搭載したデジタル放送受信装置に関するものである。
【背景技術】
【０００２】
従来の地上波デジタル放送受信装置は、中継局から送出される地上波放送を受信してユーザーにサービスを提供している。近年、地上波放送は２０１１年のアナログ方式の終了に向けてデジタル方式への移行が始まっており、現在、デジタル放送のサービスエリアがどんどん拡大している。デジタル放送のエリア拡大は、中継局といわれる放送送出設備を増設することにより実現しており、この中継局の大部分は同一の放送を別の物理チャンネルで送出している。現在、主に移動体である車をターゲットにデジタル放送を受信可能な受信装置が発売されている。これらの受信装置はその使用方法の特性上、ある中継局の放送を受信していても移動により受信できなくなるため、受信可能な別の中継局を探す必要がある。
【０００３】
この中継局を探すアルゴリズムとして、受信不可能な状態から全てのチャンネルをスキャンして受信可能なチャンネルを見つける方法が存在している。さらに、誤検出によるユーザーの不利益低減のために、スキャン時にスキップするチャンネルを登録する技術なども存在している（例えば、特許文献１参照）。
【先行技術文献】
【特許文献】
【０００４】
【特許文献１】特開２００２−０１６４８０号公報
【発明の概要】
【発明が解決しようとする課題】
【０００５】
しかしながら、上記従来の構成では、移動体においては受信可能なチャンネルが時間と共に変化するため全てのチャンネルをスキャンする方式が一般的であるが、所望のチャンネルが見つからない場合、毎回全てのチャンネルを検索するため検索時間が非常に長くなってしまうという課題があった。さらに、ユーザーにスキップするチャンネルを登録させる方式では、登録したチャンネルが中継局によっては必ずしも有用とはならないという課題もあった。
【０００６】
本発明は、上記事情に鑑みてなされたものであって、放送が受信不可能となった場合に行う放送局のサーチを、１巡目に実施する全チャンネルスキャンの結果を用いて２巡目以降の検索時間を短縮することにより、現在の受信状況に合わせて検索時間を短縮することが可能となるデジタル放送受信装置を提供することを目的とする。
【課題を解決するための手段】
【０００７】
上記従来の課題を解決するために、本発明のデジタル放送受信装置は、放送信号を受信する受信部と、放送信号の受信可否を判断する判断部と、受信不可と判断した場合に受信可能な放送局を探す検索部を有する。
【０００８】
本構成によって、検索部が受信可能な放送局を検索する場合に、１巡目の検索時には放送信号の全てのチャンネルを検索するとともに、受信可能となる可能性が低いチャンネルについても同時に記憶し、２巡目以降の検索には受信可能となる可能性が低いチャンネルを検索しないことにより検索時間の短縮するものとする。
【０００９】
また、本発明のデジタル放送受信装置は、第２の受信部を備え、検索部の１巡目の検索を受信部が受信可能な状態で行う機能をさらに備えることにより検索時間の短縮を実現するものである。
【発明の効果】
【００１０】
本発明のデジタル放送受信装置によれば、放送が受信不可能となった場合に行う放送局のサーチを、１巡目に実施する全チャンネルスキャンの結果を用いて、２巡目以降は検索するチャンネル数を少なくすることにより、現在の受信状況に合わせて検索時間の短縮を可能にすることができる。
【図面の簡単な説明】
【００１１】
【図１】本発明の実施の形態１におけるデジタル放送受信装置の構成図
【図２】本発明の実施の形態１におけるデジタル放送受信装置の検索部の動作の説明図
【図３】本発明の実施の形態２におけるデジタル放送受信装置の構成図
【発明を実施するための形態】
【００１２】
以下本発明を実施するための最良の形態について、図面を参照しながら説明する。
【００１３】
（実施の形態１）
図１は、本発明の実施の形態１におけるデジタル放送受信装置の構成を示す図である。デジタル放送受信装置は、デジタル放送の指定されたチャンネルの放送波を受信する放送受信部１０１と、受信した放送波を復調する復調部１０２と、復調した信号を視聴者に提供するために復号する復号部１０３と、受信状態を監視して受信継続するかどうか判定する判断部１０４と、視聴可能なチャンネルを検索する検索部１０５と、検索結果により受信可能性が低いチャンネルを記憶するメモリ１０６と、ユーザーからの指定チャンネルを入力するためのＵＩ部１０７とを備えた構成となっている。以下、本デジタル放送受信装置の動作を説明する。
【００１４】
放送受信部１０１では、ＵＩ部１０７を通してユーザーより指定されたチャンネルに選局を行い、選局したチャンネルの放送波を受信する。受信された放送波は復調部１０２と復号部１０３で処理されることにより、ユーザーにテレビサービスとして提供される。
【００１５】
ここで判断部１０４は、復号部１０３から受信状態の情報を取得し、取得した受信情報の情報に応じて、視聴中の中継局の視聴を継続するのか、新たな中継局を探すのかを判断する。判断部１０４が新たな中継局を探すと決定した場合、判断部１０４は、復号部１０３に復号処理を停止させ、検索部１０５に同一の放送内容を行っている別の中継局を探すようにコマンドを出す。検索部１０５は、放送受信部１０１に放送規格で定義された全チャンネル（地上デジタル放送の場合はＵＨＦ１３ＣＨから６２ＣＨ）を対象として順次チャンネルを選局させ、判断部１０４は、法送受信部１０１がチャンネルを選局する度に復調部１０２もしくは復号部１０３から受信状態の情報を取得し、明らかに受信の可能性が低いチャンネルについてはメモリ１０６に登録する。
【００１６】
検索部１０５は、受信可能な放送局を見つけるまで検索を行うが、もしチャンネルを一巡して検索しても見つけられない場合には、２巡目以降はメモリ１０６に登録したチャンネルをスキップして検索を行う。これにより受信可能なチャンネルを見つけるまでの時間を削減することが可能となる。図２はこの検索アルゴリズムを簡単に示したものであり、１巡目は全てのチャンネルを検索するが、２巡目は例えば１巡目でエラーとなるチャンネルである１４チャンネルや１７チャンネルなどは検索しない。
【００１７】
以上のように本発明のデジタル放送受信装置は、検索部１０５での１巡目の検索で受信する可能性が低いと判断したチャンネルをメモリ１０６に蓄積し、２巡目以降の検索ではメモリ１０６に登録したチャンネルの検索をスキップすることにより、受信可能なチャンネルを検索する時間を短縮することが可能となる。
【００１８】
なお、受信の可能性が低いチャンネルとは、復調部１０２でＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）の同期が確立できないチャンネルやＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号が受信できないチャンネル、または復号部１０３で受信感度や受信電力や受信Ｃ／Ｎ（Ｃａｒｒｉｅｒ  ｔｏ  Ｎｏｉｓｅ  ｒａｔｉｏ）値が低いと判断されたチャンネル、または放送に含まれる選局に関連するＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）の情報が取れないと判断されたチャンネル、受信環境が余程変化しない限り受信する見込みのないチャンネルのことを示している。
【００１９】
また、受信の可能性が低いチャンネルを全てのチャンネルを一巡して実電波で確認する方法を記載したが、例えばナビゲーションと連動するなどして位置情報を取得可能な場合は、予めリストを持つなどして１巡目の検索から検索するチャンネルを削減することも可能である。この場合、抽出部（図示せず）は位置情報検出部（図示せず）から取得した位置情報に応じて受信可能なチャンネルリストを記憶部（図示せず）に記憶させ、検索部１０５は、記憶部（図示せず）に記憶したリストを用いて１巡目の検索を開始する。
【００２０】
（実施の形態２）
図３は、本発明の実施の形態２におけるデジタル放送受信装置の構成を示す図である。本発明の実施の形態１と違うのは放送受信部２０１、復調部２０２、復号部２０３と別系統の放送受信経路を備えた構成となっている点と、検索部２０５が２系統の制御を行う構成となっている点である。図１と同符号を付しているものは、同機能を有するため説明を省略する。なお、復号部２０３はユーザーにテレビサービスを提供するための全ての復号化機能を備える必要はないので小回路規模で実現可能である。以下、本デジタル放送装置の動作を説明する。
【００２１】
実施の形態１と異なるのは、別系統から入力した放送信号に対しても、検索部２０５から指定したチャンネルに対して放送受信部２０１、復調部２０２、復号部２０３で、実施の形態１で説明した放送受信部１０１、復調部１０２、復号部１０３と同じ動作を行い、受信の可能性が低いチャンネルをメモリ１０６に登録する点である。
【００２２】
本実施の形態２では、判断部１０４は、検索部２０５で別系統で検索するかどうかを判断して検索部２０５にコマンドを送る。詳細には、判断部１０４は、１セグ放送受信状態でアンテナ分割しても１セグ放送受信継続可能な特定の範囲にある場合、１２セグ放送を受信していてアンテナ分割しても１２セグ放送受信継続可能な特定の範囲にある場合、または１２セグ放送から１セグ放送に切り替わった直後のタイミングである場合など、所謂ユーザーの視聴に影響が無いと判断できる場合に、別系統で検索する必要があると判断して検索部２０５にコマンドを送る。なお、実施の形態１に記載したように、検索部２０５は復調部１０２や復号部１０３から受信している各種情報を使用して行うことも可能である。
【００２３】
以上のように本発明の実施の形態２におけるデジタル放送受信装置は、別系統で放送を受信する放送受信部２０１、復調部２０２、復号部２０３を設けることにより、通常視聴中であっても受信する可能性が低いチャンネルを予め探すことが可能となる。
【００２４】
なお、実施の形態１および実施の形態２で受信の可能性が低いチャンネルの登録を検索の１巡目のみとしたが２巡目以降も登録しても問題ない。
【００２５】
また、実施の形態１および実施の形態２で受信の可能性が低いチャンネルの検出の仕方を記載したが、これらはどれか一つに限定する必要は無く、組み合わせて使用することも可能である。
【産業上の利用可能性】
【００２６】
本発明にかかるデジタル放送受信装置は、放送が受信不可能となった場合に行う放送局のサーチの時間を現在の受信状況に合わせて短縮することが可能になるので、移動体に搭載するデジタル放送受信装置の性能改善方法として有用である。
【符号の説明】
【００２７】
１０１、２０１    放送受信部
１０２、２０２    復調部
１０３、２０３    復号部
１０４    判断部
１０５、２０５    検索部
１０６    メモリ
１０７    ＵＩ部
【図１】
2011114354.tif 000003
【図２】
2011114354.tif 000004
【図３】
2011114354.tif 000005